(57)【要約】【課題】放送料金を算出するのに、放送局システムやクライアント端末に対してネゴシエーションする必要がなく、インターネットのトラフィックの混雑等が発生しても正確な課金ができるようにする。【解決手段】記録手段６により、放送局システム３よりインターネット５を介して受けた放送データ内の、送信元アドレスと送信先アドレスと放送データのデータ長とを含むトラフィックデータを放送データを受ける毎に記録し、放送料金算出手段７により、記録手段６が記録したトラヒックデータより、放送データの量を示すトラヒック量を送信元アドレスと送信先アドレスとの組み合わせ毎に求めこの求めたトラヒック量に基づいて放送料金を算出しこの算出した放送料金を送信先アドレスに対応するクライアント端末１に課金する。【選択図】　　　図１
2004056577.tif 000002
【特許請求の範囲】
【請求項１】
クライアント端末から要求された放送番組の放送データを放送局システムよりインターネットを介して受け、この放送データを前記クライアント端末に送る通信業者システムにおいて、
前記放送局システムより前記インターネットを介して受けた前記放送データ内の、送信元アドレスと送信先アドレスと前記放送データのデータ長とを含むトラフィックデータを前記放送データを受ける毎に記録する記録手段と、
前記記録手段が記録した前記トラヒックデータより、前記放送データの量を示すトラヒック量を前記送信元アドレスと前記送信先アドレスとの組み合わせ毎に求めこの求めた前記トラヒック量に基づいて放送料金を算出しこの算出した放送料金を前記送信先アドレスに対応する前記クライアント端末に課金する放送料金算出手段と、
を備えたことを特徴とする通信業者システム。
【請求項２】
前記放送データは、この放送データが課金対象であるか否かを示す課金種別を予め有し、前記記録手段は、前記放送データの前記課金種別を含んだ前記トラフィックデータを記録し、前記放送料金算出手段は、前記記録手段が記録した前記トラヒックデータのうちの前記放送データが課金対象であることを示す前記課金種別を含む前記トラヒックデータより、前記トラヒック量を求めるようにしたことを特徴とする請求項１記載の通信業者システム。
【請求項３】
前記放送料金算出手段は、前記送信元アドレスに対応する前記放送局システムを所有する放送局に対して支払うべき放送料金を算出することを特徴とする請求項１又は２記載の通信業者システム。
【請求項４】
前記放送料金算出手段は、予め定めた期間毎に前記トラヒック量に基づいて前記放送料金を算出することを特徴とする請求項１、２又は３記載の通信業者システム。
【請求項５】
前記放送データは、ストリーミングデータであることを特徴とする請求項１、２、３又は４記載の通信業者システム。
【請求項６】
放送番組を要求しこの放送番組を受けて表示するクライアント端末と、このクライアント端末から前記放送番組の要求を受けこの要求をインターネットを介して放送局システムに送りこの放送局システムより前記要求した前記放送番組をインターネットを介して受けて前記クライアント端末に送る通信業者システムと、この通信業者システムから前記放送番組の要求を受けこの要求された前記放送番組を前記インターネットを介して前記通信業者システムに送る前記放送局システムとを備えたインターネット放送の課金方式において、
視聴を希望する前記放送番組を要求しこの放送番組の放送データを受けて表示する前記クライアント端末と、
前記クライアント端末より前記放送番組の要求を受けこの要求を前記放送局システムに送り、この放送局システムより前記要求した前記放送番組の前記放送データを受け、この放送データの量を示すトラヒック量を前記放送データに含まれる送信元アドレスと送信先アドレスとの組み合わせ毎に求めこの求めた前記トラヒック量に基づいて放送料金を算出しこの算出した放送料金を前記送信先アドレスに対応する前記クライアント端末に課金する前記通信業者システムと、
前記通信業者システムより前記放送番組の要求を受けこの要求された前記放送番組の前記放送データを前記インターネットを介して前記通信業者システムに送る前記放送局システムと、
を備えたことを特徴とするインターネット放送の課金方式。
【請求項７】
前記放送データは、この放送データが課金対象であるか否かを示す課金種別を予め有し、前記通信業者システムは、前記放送データが課金対象であることを示す前記課金種別を含む前記放送データより、前記トラヒック量を求めるようにしたことを特徴とする請求項６記載のインターネット放送の課金方式。
【請求項８】
前記通信業者システムは、前記送信元アドレスに対応する前記放送局システムを所有する放送局に対して支払うべき放送料金を算出することを特徴とする請求項６又は７記載のインターネット放送の課金方式。
【請求項９】
前記通信業者システムは、予め定めた期間毎に前記トラヒック量に基づいて前記放送料金を算出することを特徴とする請求項６、７又は８記載のインターネット放送の課金方式。
【請求項１０】
前記通信業者システムは、前記放送局システムより前記インターネットを介して受けた前記放送データ内の、前記送信元アドレスと前記送信先アドレスと前記放送データのデータ長とを含む前記トラフィックデータを前記放送データを受ける毎に記録する記録手段と、
前記記録手段が記録した前記トラヒックデータより、前記放送データの量を示すトラヒック量を前記送信元アドレスと前記送信先アドレスとの組み合わせ毎に求めこの求めた前記トラヒック量に基づいて放送料金を算出しこの算出した放送料金を前記送信先アドレスに対応する前記クライアント端末に課金する放送料金算出手段と、
を備えたことを特徴とする請求項６記載のインターネット放送の課金方式。
【請求項１１】
前記放送データは、この放送データが課金対象であるか否かを示す課金種別を予め有し、前記記録手段は、前記放送データの前記課金種別を含んだ前記トラフィックデータを記録し、前記放送料金算出手段は、前記記録手段が記録した前記トラヒックデータのうちの前記放送データが課金対象であることを示す前記課金種別を含む前記トラヒックデータより、前記トラヒック量を求めるようにしたことを特徴とする請求項１０記載のインターネット放送の課金方式。
【請求項１２】
前記放送料金算出手段は、前記送信元アドレスに対応する前記放送局システムを所有する放送局に対して支払うべき放送料金を算出することを特徴とする請求項１０又は１１記載のインターネット放送の課金方式。
【請求項１３】
前記放送料金算出手段は、予め定めた期間毎に前記トラヒック量に基づいて前記放送料金を算出することを特徴とする請求項１０、１１又は１２記載のインターネット放送の課金方式。
【請求項１４】
前記放送データは、ストリーミングデータであることを特徴とする請求項６〜１３のいずれか１項記載のインターネット放送の課金方式。
【発明の詳細な説明】
【０００１】
【発明の属する技術分野】
本発明は通信業者システム及びインターネット放送の課金方式に関し、特にクライアント端末から要求された放送番組を放送局システムよりインターネットを介して受けこの放送番組を前記クライアント端末に送る通信業者システム及びクライアント端末に課金すべきこの放送番組に対応する放送料金を算出するインターネット放送の課金方式に関する。
【０００２】
【従来の技術】
従来、この種のインターネット放送の課金方式は、例えば、特開２００１−２６８５３５号公報に開示されているように、放送機器からインターネットを介して利用者端末側に送信された放送データの番組を視聴した利用者端末の利用者に対して課金するために用いられている。
【０００３】
この特開２００１−２６８５３５号公報に開示されたインターネット放送の課金方式は、図４に示すように、利用者端末、放送機器、課金サーバ及びインターネットにより構成する。
【０００４】
このインターネット放送の課金方式の動作を説明する。
課金サーバは、放送機器に対して放送データを暗号化するための暗号鍵を配布し、放送機器は、インターネット上にこの暗号鍵で暗号化した放送データを送信する。
【０００５】
放送を視聴したい利用者は利用者端末から視聴したい番組情報と利用者情報を課金サーバに送信する。
【０００６】
課金サーバは、暗号化された放送データを復号化するための暗号鍵を利用者端末に送信し視聴開始時刻と利用者情報を記憶し、利用者端末は、暗号鍵を用いて放送データを複合化し視聴を開始する。
【０００７】
課金サーバは、利用者端末と放送機器に対して定期的に暗号鍵の更新を行い暗号鍵の受信確認を受けとる。
【０００８】
そして、課金サーバは、利用者端末から視聴中止の要求を受けた場合、または利用者端末から暗号鍵の更新時の受信確認が得られなかった場合に受信終了と判定し、視聴開始時刻から受信終了と判定した時刻までの時間を利用者端末の利用者が視聴した時間として課金する。
【０００９】
【発明が解決しようとする課題】
上述した従来のインターネット放送の課金方式は、課金サーバにより、放送機器が利用者端末に送信する放送データの暗号化や複合化のための暗号鍵を配布し、この暗号鍵を定期的に更新して受診確認するというネゴシエーションを実施する必要があるという問題がある。
【００１０】
また、課金サーバは、復号化のための暗号鍵を利用者端末に送信して視聴開始時刻と利用者情報を記憶し、利用者端末から視聴中止の要求を受けた場合、または利用者端末から暗号鍵の更新時の受信確認が得られなかった場合に受信終了と判定し、視聴開始時刻から受信終了と判定した時刻までの時間を利用者端末の利用者が視聴した時間として課金するため、この視聴時間とした時間内でインターネットのトラフィックの混雑等が発生し、利用者端末が放送データを受けることができない等の放送データ未受信の時間がある場合でも、この視聴時間に対して課金するので、課金の正確性に欠けるという問題がある。
【００１１】
本発明の目的はこのような従来の欠点を除去するため、放送機器や利用者端末との間でネゴシエーションを実施する必要がなく、インターネットのトラフィックの混雑等が発生しても正確な課金のできる通信業者システム及びインターネット放送の課金方式を提供することにある。
【００１２】
【課題を解決するための手段】
本発明の通信業者システムは、クライアント端末から要求された放送番組の放送データを放送局システムよりインターネットを介して受け、この放送データを前記クライアント端末に送る通信業者システムにおいて、
前記放送局システムより前記インターネットを介して受けた前記放送データ内の、送信元アドレスと送信先アドレスと前記放送データのデータ長とを含むトラフィックデータを前記放送データを受ける毎に記録する記録手段と、
前記記録手段が記録した前記トラヒックデータより、前記放送データの量を示すトラヒック量を前記送信元アドレスと前記送信先アドレスとの組み合わせ毎に求めこの求めた前記トラヒック量に基づいて放送料金を算出しこの算出した放送料金を前記送信先アドレスに対応する前記クライアント端末に課金する放送料金算出手段と、
を備えて構成されている。
【００１３】
また、本発明の通信業者システムにおいて、前記放送データは、この放送データが課金対象であるか否かを示す課金種別を予め有し、前記記録手段は、前記放送データの前記課金種別を含んだ前記トラフィックデータを記録し、前記放送料金算出手段は、前記記録手段が記録した前記トラヒックデータのうちの前記放送データが課金対象であることを示す前記課金種別を含む前記トラヒックデータより、前記トラヒック量を求めるようにしている。
【００１４】
更に、本発明の通信業者システムの前記放送料金算出手段は、前記送信元アドレスに対応する前記放送局システムを所有する放送局に対して支払うべき放送料金を算出するようにしている。
【００１５】
また、本発明の通信業者システムの前記放送料金算出手段は、予め定めた期間毎に前記トラヒック量に基づいて前記放送料金を算出するようにしている。
【００１６】
更に、本発明の通信業者システムにおいて、前記放送データを、ストリーミングデータとしている。
【００１７】
本発明のインターネット放送の課金方式は、放送番組を要求しこの放送番組を受けて表示するクライアント端末と、このクライアント端末から前記放送番組の要求を受けこの要求をインターネットを介して放送局システムに送りこの放送局システムより前記要求した前記放送番組をインターネットを介して受けて前記クライアント端末に送る通信業者システムと、この通信業者システムから前記放送番組の要求を受けこの要求された前記放送番組を前記インターネットを介して前記通信業者システムに送る前記放送局システムとを備えたインターネット放送の課金方式において、
視聴を希望する前記放送番組を要求しこの放送番組の放送データを受けて表示する前記クライアント端末と、
前記クライアント端末より前記放送番組の要求を受けこの要求を前記放送局システムに送り、この放送局システムより前記要求した前記放送番組の前記放送データを受け、この放送データの量を示すトラヒック量を前記放送データに含まれる送信元アドレスと送信先アドレスとの組み合わせ毎に求めこの求めた前記トラヒック量に基づいて放送料金を算出しこの算出した放送料金を前記送信先アドレスに対応する前記クライアント端末に課金する前記通信業者システムと、
前記通信業者システムより前記放送番組の要求を受けこの要求された前記放送番組の前記放送データを前記インターネットを介して前記通信業者システムに送る前記放送局システムと、
を備えて構成されている。
【００１８】
また、本発明のインターネット放送の課金方式において、前記放送データは、この放送データが課金対象であるか否かを示す課金種別を予め有し、前記通信業者システムは、前記放送データが課金対象であることを示す前記課金種別を含む前記放送データより、前記トラヒック量を求めるようにしている。
【００１９】
更に、本発明のインターネット放送の課金方式の前記通信業者システムは、前記送信元アドレスに対応する前記放送局システムを所有する放送局に対して支払うべき放送料金を算出するようにしている。
【００２０】
また、本発明のインターネット放送の課金方式の前記通信業者システムは、予め定めた期間毎に前記トラヒック量に基づいて前記放送料金を算出するようにしている。
【００２１】
更に、本発明のインターネット放送の課金方式の前記通信業者システムは、前記放送局システムより前記インターネットを介して受けた前記放送データ内の、前記送信元アドレスと前記送信先アドレスと前記放送データのデータ長とを含む前記トラフィックデータを前記放送データを受ける毎に記録する記録手段と、
前記記録手段が記録した前記トラヒックデータより、前記放送データの量を示すトラヒック量を前記送信元アドレスと前記送信先アドレスとの組み合わせ毎に求めこの求めた前記トラヒック量に基づいて放送料金を算出しこの算出した放送料金を前記送信先アドレスに対応する前記クライアント端末に課金する放送料金算出手段と、
を備えて構成されている。
【００２２】
また、本発明のインターネット放送において、前記放送データを、ストリーミングデータとしている。
【００２３】
【発明の実施の形態】
次に、本発明の実施の形態について図面を参照して説明する。
【００２４】
図１は、本発明の通信業者システム及びインターネット放送の課金方式の一つの実施の形態を示すブロック図である。
【００２５】
図１に示す本実施の形態は、放送番組を要求しこの放送番組の放送データを受けて表示するクライアント端末１と、クライアント端末１から通信回線４を介して受けた放送番組の要求をインターネット５を介して放送局システム３に送りこの放送局システム３よりこの要求した放送番組の放送データをインターネット５を介して受けてクライアント端末１に送る通信業者システム２と、通信業者システム２から放送番組の要求を受けこの要求された放送番組の放送データをインターネット５を介して通信業者システム２に送る放送局システム３とにより構成する。
【００２６】
通信回線４は、電話回線、移動体通信回線等の回線である。
【００２７】
通信業者システム２は、放送局システム３よりインターネット５を介して受けた放送データ内の、放送局システム３のＩＰアドレスを示す送信元アドレスとクライアント端末１のＩＰアドレスを示す送信先アドレスと放送データのデータ長とを含むトラフィックデータを放送データを受ける毎に記録する記録手段６と、記録手段６が記録したトラヒックデータより、放送データの量を示すトラヒック量を送信元アドレスと送信先アドレスとの組み合わせ毎に求めこの求めたトラヒック量に基づいて放送料金を算出しこの算出した放送料金を送信先アドレスに対応するクライアント端末１に課金する放送料金算出手段７とを備えている。
【００２８】
記録手段６は、通信回線４に接続する第１のルータ８と、この第１のルータ８とＬＡＮを介して接続するとともにインターネット５に接続する第２のルータ９とを備え、放送料金算出手段７（例えば、サーバ。）は、制御部７１とデータベース７２とを備えている。
【００２９】
放送局システム３は、エンコーダ３１と配信サーバ３２とを備えている。
【００３０】
放送データは、この放送データが課金対象であるか否かを示す課金種別を予め有し、記録手段６は、放送データの課金種別を含んだトラフィックデータを記録し、放送料金算出手段７は、記録手段６が記録したトラヒックデータのうちの放送データが課金対象であることを示す課金種別を含むトラヒックデータより、トラヒック量を求めるようにしている。
【００３１】
次に、本実施の形態の通信業者システム及びインターネット放送の課金方式の動作を図２及び図３を参照して詳細に説明する。
【００３２】
図２は、放送局のホームページを表す画面の一例を示す図である。
【００３３】
図３は、ストリーミングデータのＩＰパケットのフォーマットの一例を示し、このＩＰパケットは、送信先アドレス、送信元アドレス、ストリーミングデータか否かを示すデータ種別、このストリーミングデータが課金対象のデータであるか否かを示す課金種別及びストリーミングデータ自身により構成する。
【００３４】
図１において、パーソナルコンピュータ等のクライアント端末１は、利用者の指示により、利用者が視聴を希望する放送局のホームページに通信回線４を介してアクセスする。
【００３５】
クライアント端末１の利用者が契約した通信業者システム２は、このアクセスに応じてこのホームページの放送局の放送局システム３にインターネット５を介して接続し、放送局システム３より図２に示すこの放送局のホームページをインターネット５を介して得てクライアント端末１に送る。
【００３６】
クライアント端末１はこのホームページを通信業者システム２より受けて表示し、利用者の指示により、例えば、マウスにより放送番組Ａがクリックされると、この放送番組Ａの要求を通信業者システム２に送る。
【００３７】
通信業者システム２は通信回線４を介してクライアント端末１より放送番組Ａの要求を受けこの要求をインターネット５を介して放送局システム３に送る。
【００３８】
放送局システム３は、通信業者システム２より放送番組Ａの要求を受け、エンコーダ３１により放送番組Ａに対応する放送データ（例えば、図３に示すフォーマットのＩＰパケットであるストリーミングデータ）を作成し、配信サーバ３２によりこの放送データをインターネット５を介して通信業者システム２に配信する。放送局システム３は、クライアント端末１の利用者が放送番組Ａの停止を要求する（例えば、予め定めたキーを押下等する）こと等により、クライアント端末１から通信業者システム２を介してこの放送番組Ａの停止要求を受けるまで、この放送番組Ａに対応する放送データをエンコーダ３１により作成し配信サーバ３２により配信する。
【００３９】
ここで、ストリーミング技術について、説明する。配信サーバがインターネット等のネットワークを使用してデータを配信する場合に、クライアント端末がすべてのデータを受信する前に再生を開始することが可能な技術をストリーミングと言い、ストリーミングの技術に対応したデータをストリーミングデータと言う。ストリーミング技術によるストリーミングデータの配信は、ファイルサイズが大きい動画データの配信でも、クライアント端末がダウンロード時間を無駄に待つことなく再生できるほか、撮影した動画を撮影しながらリアルタイムで配信することもできる。
【００４０】
通信業者システム２は、ＩＰパケットをインターネット５を介して第２のルータ９により受け、このＩＰパケットを第１のルータ８に送り、第１のルータ８の経路制御部８１は、ＩＰパケット内の送信アドレスの示す送信先にこのＩＰパケットを送るとともに、このＩＰパケット内の図３に示すデータ種別を調べ、このデータ種別がストリーミングデータを示す場合、このＩＰパケットを放送データ（ストリーミングデータ）であると認識し、このＩＰパケット内のストリーミングデータ自身からこのデータのデータ長を求め、このデータ長と放送局システム３のＩＰアドレスを示す送信元アドレスとクライアント端末１のＩＰアドレスを示す送信先アドレスと課金種別とをトラフィックデータとしてメモリ８２に記録する。通信業者システム２はこの動作をインターネット５を介してＩＰパケットを受信する毎に行う。
【００４１】
放送料金算出手段７は、制御部７１により、予め定めた期間（例えば、１ヶ月）毎に経路制御部８１にトラフィックデータの取得を要請し、経路制御部８１はこの要請を受ける毎に、メモリ８２に記録した最近の予め定めた期間分のトラフィックデータを制御部７１に送り、制御部７１はこのトラフィックデータを受けてデータベース７２に格納する。
【００４２】
制御部７１は、この格納した最近の予め定めた期間分のトラフィックデータのうちの、放送データが課金対象であることを示す課金種別を含むトラヒックデータより、送信元アドレスと送信先アドレスとの組み合わせが同じトラヒックデータのデータ量の総計を求めこの総計をこの送信元アドレスと送信先アドレスとの組み合わせに対応するトラヒック量とする。
【００４３】
そして、制御部７１は、このトラヒック量に基づいて、送信先アドレスに対応するクライアント端末１の利用者が送信元アドレスに対応する放送局システム３を所有する放送局に対して支払うべき放送料金を算出しこの算出した放送料金をクライアント端末１に課金する。送信元アドレスが複数あるときにはこの複数の送信元アドレスにそれぞれ対応する複数の放送局に対して支払うべき複数の放送料金をこのクライアント端末１に課金する。
【００４４】
通信業者システム２は予め契約したクライアント端末１の利用者に対して通常のインターネット接続料金に加えこの課金した放送料金を請求する。
【００４５】
このため、クライアント端末１の利用者は、このクライアント端末１に課金された放送料金を、通信業者システム２の通信業者にインターネット接続料金ともに一緒に支払うことができ、かつ、放送局毎に個別に支払う必要がない。
【００４６】
【発明の効果】
以上説明したように、本発明によれば、記録手段により、放送局システムよりインターネットを介して受けた放送データ内の、送信元アドレスと送信先アドレスと放送データのデータ長とを含むトラフィックデータを放送データを受ける毎に記録し、放送料金算出手段により、記録手段が記録したトラヒックデータより、放送データの量を示すトラヒック量を送信元アドレスと送信先アドレスとの組み合わせ毎に求めこの求めたトラヒック量に基づいて放送料金を算出しこの算出した放送料金を送信先アドレスに対応するクライアント端末に課金するため、
放送料金を算出するのに、放送局システムやクライアント端末に対してネゴシエーションする必要がない。
【００４７】
また、放送データの量を示すトラヒック量に基づいて放送料金を算出するので、インターネットのトラフィックの混雑等が発生しても正確な課金ができる。
【００４８】
更に、放送データの量を示すトラヒック量に基づいて、送信先アドレスに対応するクライアント端末の利用者が送信元アドレスに対応する放送局システムを所有する放送局に対して支払うべき放送料金を算出しこのクライアント端末に課金するので、クライアント端末の利用者は、このクライアント端末に課金された放送料金を、通信業者システム２の通信業者にインターネット接続料金ともに一緒に支払うことができ、かつ、放送局毎に個別に支払う必要がない。
【図面の簡単な説明】
【図１】本発明の通信業者システム及びインターネット放送の課金方式の一つの実施の形態を示すブロック図である。
【図２】放送局のホームページを表す画面の一例を示す図である。
【図３】ストリーミングデータのＩＰパケットのフォーマットの一例を示す図である。
【図４】従来のインターネット放送の課金方式を示す図である。
【符号の説明】
１　　クライアント端末
２　　通信業者システム
３　　放送局システム
３１　　エンコーダ
３２　　配信サーバ
４　　通信回線
５　　インターネット
６　　記録手段
７　　放送料金算出手段
７１　　制御部
７２　　データベース
８　　第１のルータ
８１　　経路制御部
８２　　メモリ
９　　第２のルータ
【図１】
2004056577.tif 000003
【図２】
2004056577.tif 000004
【図３】
2004056577.tif 000005
【図４】
2004056577.tif 000006